(57)【要約】【課題】ユーザが購入済のコンテンツをそのコンテンツデータが記憶されていないコンテンツ出力装置で煩わしい操作を行うことなく利用可能な情報通信システムを提供する。【解決手段】この情報通信システムにおいて、携帯装置２０は、ユーザが購入済のコンテンツのリスト情報である所有コンテンツ情報を記憶しており、無線通信可能な状態の車載装置１０へその所有コンテンツ情報を送信する。そして、車載装置１０は、ユーザが購入済のコンテンツのうち当該車載装置１０に記憶されていないものが存在する場合に、そのコンテンツデータをコンテンツ配信サーバ３０から取得する。このような情報通信システムによれば、ユーザが利用しようとする車載装置１０にそのユーザが購入済のコンテンツが自動的に補充されるようにすることが可能となる。この結果、ユーザは、煩わしい操作を行うことなく購入済のコンテンツを車載装置１０で利用することができる。【選択図】図１
2008257648.tif 000002
【特許請求の範囲】
【請求項１】
コンテンツ記憶手段に記憶されているコンテンツデータの表すコンテンツを出力可能なコンテンツ出力装置と、前記コンテンツ出力装置にコンテンツデータを配信するコンテンツ配信装置と、前記コンテンツ出力装置を利用するユーザが所持するユーザ側装置を備える情報通信システムであって、
前記ユーザ側装置は、
当該ユーザ側装置のユーザが購入済のコンテンツのリスト情報である所有コンテンツ情報を記憶する所有情報記憶手段と、
当該ユーザ側装置と無線通信可能な状態にあるコンテンツ出力装置へ前記所有コンテンツ情報を送信する所有情報送信手段を備え、
前記コンテンツ出力装置は、
ユーザからコンテンツの購入を要求された場合に、そのコンテンツデータの購入要求を購入者であるユーザを特定可能な購入者情報とともに前記コンテンツ配信装置へ送信し、前記コンテンツ配信装置から受信したコンテンツデータを前記コンテンツ記憶手段に記憶させるコンテンツ購入手段と、
当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備え、
前記コンテンツ配信装置は、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、
前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備えること
を特徴とする情報通信システム。
【請求項２】
前記コンテンツ出力装置は、前記コンテンツ購入手段により前記コンテンツ記憶手段に記憶されたコンテンツデータの表すコンテンツの情報を新規コンテンツ情報として当該コンテンツ出力装置と無線通信可能な状態にあるユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項１に記載の情報通信システム。
【請求項３】
前記購入情報通知手段は、コンテンツの購入者であるユーザのユーザ側装置へ前記新規コンテンツ情報を送信すること
を特徴とする請求項２に記載の情報通信システム。
【請求項４】
前記コンテンツ出力装置は、前記コンテンツ記憶手段に記憶されているコンテンツデータのうち、当該コンテンツ出力装置と無線通信可能な状態にあるユーザ側装置から受信した所有コンテンツ情報に基づき特定されるコンテンツに含まれないものが存在する場合には、含まれないコンテンツデータの表すコンテンツの情報を新規コンテンツ情報としてそのユーザ側装置へ送信する所有情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項１に記載の情報通信システム。
【請求項５】
前記コンテンツ配信装置は、前記コンテンツ送信手段により送信されたコンテンツデータの表すコンテンツの情報を新規コンテンツ情報としてそのコンテンツの購入者であるユーザのユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項１に記載の情報通信システム。
【請求項６】
前記コンテンツ出力装置のコンテンツ補充手段は、当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合であって、そのユーザ側装置が登録ユーザのものでないときには、記憶されていないコンテンツを制限付きで出力可能な制限付コンテンツデータの送信要求を前記所有者情報とともに前記コンテンツ配信装置へ送信し、前記コンテンツ配信装置から受信した制限付コンテンツデータを前記コンテンツ記憶手段に記憶させるように構成されており、
前記コンテンツ配信装置は、前記コンテンツ出力装置から制限付コンテンツデータの送信要求を受信した場合に、その送信要求とともに受信した所有者情報に基づき特定されるユーザの購入履歴としてそのコンテンツの購入情報が記憶されていることを条件として、その制限付コンテンツデータを要求元のコンテンツ出力装置へ送信する制限付コンテンツ送信手段を備えること
を特徴とする請求項１から請求項５までのいずれか１項に記載の情報通信システム。
【請求項７】
前記コンテンツ出力装置のコンテンツ補充手段は、当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合であって、そのユーザ側装置が登録ユーザのものでないときには、記憶されていないコンテンツのうちユーザにより選択されたものの制限付コンテンツデータの送信要求を前記所有者情報とともに前記コンテンツ配信装置へ送信し、前記コンテンツ配信装置から受信した制限付コンテンツデータを前記コンテンツ記憶手段に記憶させること
を特徴とする請求項６に記載の情報通信システム。
【請求項８】
前記コンテンツ出力装置は、
登録ユーザが存在するか否かを判定する所有者判定手段と、
前記所有者判定手段により登録ユーザが存在しないと判定された場合には、前記コンテンツ記憶手段に記憶されているコンテンツデータの表すコンテンツの出力及び新たなコンテンツの購入のうち少なくとも一方を禁止する利用禁止手段を備えること
を特徴とする請求項１から請求項７までのいずれか１項に記載の情報通信システム。
【請求項９】
前記所有者判定手段は、登録ユーザのユーザ側装置が当該コンテンツ出力装置と無線通信可能な状態にある場合に、登録ユーザが存在すると判定すること
を特徴とする請求項８に記載の情報通信システム。
【請求項１０】
前記コンテンツ出力装置は、ユーザの身体的特徴を検出する特徴検出手段を備え、
前記所有者判定手段は、前記特徴検出手段により登録ユーザの身体的特徴が検出された場合に、登録ユーザが存在すると判定すること
を特徴とする請求項８又は請求項９に記載の情報通信システム。
【請求項１１】
前記所有情報送信手段は、当該ユーザ側装置と無線通信可能な状態にあるコンテンツ出力装置が検出された時点で、そのコンテンツ出力装置へ前記所有コンテンツ情報を送信すること
を特徴とする請求項１から請求項１０までのいずれか１項に記載の情報通信システム。
【請求項１２】
前記コンテンツ出力装置は、車両に搭載されて用いられること
を特徴とする請求項１から請求項１１までのいずれか１項に記載の情報通信システム。
【請求項１３】
コンテンツ記憶手段に記憶されているコンテンツデータの表すコンテンツを出力可能なコンテンツ出力装置と、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備える、前記コンテンツ出力装置にコンテンツデータを配信するコンテンツ配信装置と、
ユーザが購入済のコンテンツのリスト情報である所有コンテンツ情報を記憶する所有情報記憶手段と、無線通信可能な状態にあるコンテンツ出力装置へ前記所有コンテンツ情報を送信する所有情報送信手段を備える、前記コンテンツ出力装置を利用するユーザが所持するユーザ側装置と、
を備える情報通信システムに用いられる前記コンテンツ出力装置であって、
ユーザからコンテンツの購入を要求された場合に、そのコンテンツデータの購入要求を購入者であるユーザを特定可能な購入者情報とともに前記コンテンツ配信装置へ送信し、前記コンテンツ配信装置から受信したコンテンツデータを前記コンテンツ記憶手段に記憶させるコンテンツ購入手段と、
当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備えること
を特徴とするコンテンツ出力装置。
【請求項１４】
前記コンテンツ出力装置は、前記コンテンツ購入手段により前記コンテンツ記憶手段に記憶されたコンテンツデータの表すコンテンツの情報を新規コンテンツ情報として当該コンテンツ出力装置と無線通信可能な状態にあるユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項１３に記載のコンテンツ出力装置。
【請求項１５】
前記購入情報通知手段は、コンテンツの購入者であるユーザのユーザ側装置へ前記新規コンテンツ情報を送信すること
を特徴とする請求項１４に記載のコンテンツ出力装置。
【請求項１６】
前記コンテンツ出力装置は、前記コンテンツ記憶手段に記憶されているコンテンツデータのうち、当該コンテンツ出力装置と無線通信可能な状態にあるユーザ側装置から受信した所有コンテンツ情報に基づき特定されるコンテンツに含まれないものが存在する場合には、含まれないコンテンツデータの表すコンテンツの情報を新規コンテンツ情報としてそのユーザ側装置へ送信する所有情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項１３に記載のコンテンツ出力装置。
【請求項１７】
前記コンテンツ出力装置のコンテンツ補充手段は、当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合であって、そのユーザ側装置が登録ユーザのものでないときには、記憶されていないコンテンツを制限付きで出力可能な制限付コンテンツデータの送信要求を前記所有者情報とともに前記コンテンツ配信装置へ送信し、前記コンテンツ配信装置から受信した制限付コンテンツデータを前記コンテンツ記憶手段に記憶させるように構成されており、
前記コンテンツ配信装置は、前記コンテンツ出力装置から制限付コンテンツデータの送信要求を受信した場合に、その送信要求とともに受信した所有者情報に基づき特定されるユーザの購入履歴としてそのコンテンツの購入情報が記憶されていることを条件として、その制限付コンテンツデータを要求元のコンテンツ出力装置へ送信する制限付コンテンツ送信手段を備えること
を特徴とする請求項１３から請求項１６までのいずれか１項に記載のコンテンツ出力装置。
【請求項１８】
前記コンテンツ出力装置のコンテンツ補充手段は、当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合であって、そのユーザ側装置が登録ユーザのものでないときには、記憶されていないコンテンツのうちユーザにより選択されたものの制限付コンテンツデータの送信要求を前記所有者情報とともに前記コンテンツ配信装置へ送信し、前記コンテンツ配信装置から受信した制限付コンテンツデータを前記コンテンツ記憶手段に記憶させること
を特徴とする請求項１７に記載のコンテンツ出力装置。
【請求項１９】
前記コンテンツ出力装置は、
登録ユーザが存在するか否かを判定する所有者判定手段と、
前記所有者判定手段により登録ユーザが存在しないと判定された場合には、前記コンテンツ記憶手段に記憶されているコンテンツデータの表すコンテンツの出力及び新たなコンテンツの購入のうち少なくとも一方を禁止する利用禁止手段を備えること
を特徴とする請求項１３から請求項１８までのいずれか１項に記載のコンテンツ出力装置。
【請求項２０】
前記所有者判定手段は、登録ユーザのユーザ側装置が当該コンテンツ出力装置と無線通信可能な状態にある場合に、登録ユーザが存在すると判定すること
を特徴とする請求項１９に記載のコンテンツ出力装置。
【請求項２１】
前記コンテンツ出力装置は、ユーザの身体的特徴を検出する特徴検出手段を備え、
前記所有者判定手段は、前記特徴検出手段により登録ユーザの身体的特徴が検出された場合に、登録ユーザが存在すると判定すること
を特徴とする請求項１９又は請求項２０に記載のコンテンツ出力装置。
【請求項２２】
ユーザからコンテンツの購入を要求された場合に、そのコンテンツデータの購入要求を購入者であるユーザを特定可能な購入者情報とともにコンテンツ配信装置へ送信し、前記コンテンツ配信装置から受信したコンテンツデータをコンテンツ記憶手段に記憶させるコンテンツ購入手段と、無線通信可能な状態にあるユーザ側装置から受信した所有コンテンツ情報に基づき特定されるそのユーザ側装置のユーザが購入済のコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備える、前記コンテンツ記憶手段に記憶されているコンテンツデータの表すコンテンツを出力可能なコンテンツ出力装置と、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備える、前記コンテンツ出力装置にコンテンツデータを配信するコンテンツ配信装置と、
前記コンテンツ出力装置を利用するユーザが所持するユーザ側装置と、
を備える情報通信システムに用いられる前記ユーザ側装置であって、
当該ユーザ側装置のユーザが購入済のコンテンツのリスト情報である所有コンテンツ情報を記憶する所有情報記憶手段と、
当該ユーザ側装置と無線通信可能な状態にあるコンテンツ出力装置へ前記所有コンテンツ情報を送信する所有情報送信手段を備えること
を特徴とするユーザ側装置。
【請求項２３】
前記コンテンツ出力装置は、前記コンテンツ購入手段により前記コンテンツ記憶手段に記憶されたコンテンツデータの表すコンテンツの情報を新規コンテンツ情報として当該コンテンツ出力装置と無線通信可能な状態にあるユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項２２に記載のユーザ側装置。
【請求項２４】
前記コンテンツ出力装置は、前記コンテンツ記憶手段に記憶されているコンテンツデータのうち、当該コンテンツ出力装置と無線通信可能な状態にあるユーザ側装置から受信した所有コンテンツ情報に基づき特定されるコンテンツに含まれないものが存在する場合には、含まれないコンテンツデータの表すコンテンツの情報を新規コンテンツ情報としてそのユーザ側装置へ送信する所有情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項２２に記載の情報通信システム。
【請求項２５】
前記コンテンツ配信装置は、前記コンテンツ送信手段により送信されたコンテンツデータの表すコンテンツの情報を新規コンテンツ情報としてそのコンテンツの購入者であるユーザのユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項２２に記載のユーザ側装置。
【請求項２６】
前記所有情報送信手段は、当該ユーザ側装置と無線通信可能な状態にあるコンテンツ出力装置が検出された時点で、そのコンテンツ出力装置へ前記所有コンテンツ情報を送信すること
を特徴とする請求項２２から請求項２５までのいずれか１項に記載のユーザ側装置。
【請求項２７】
ユーザからコンテンツの購入を要求された場合に、そのコンテンツデータの購入要求を購入者であるユーザを特定可能な購入者情報とともにコンテンツ配信装置へ送信し、前記コンテンツ配信装置から受信したコンテンツデータをコンテンツ記憶手段に記憶させるコンテンツ購入手段と、無線通信可能な状態にあるユーザ側装置から受信した所有コンテンツ情報に基づき特定されるそのユーザ側装置のユーザが購入済のコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備える、前記コンテンツ記憶手段に記憶されているコンテンツデータの表すコンテンツを出力可能なコンテンツ出力装置と、
前記コンテンツ出力装置にコンテンツデータを配信するコンテンツ配信装置と、
ユーザが購入済のコンテンツのリスト情報である所有コンテンツ情報を記憶する所有情報記憶手段と、無線通信可能な状態にあるコンテンツ出力装置へ前記所有コンテンツ情報を送信する所有情報送信手段を備える、前記コンテンツ出力装置を利用するユーザが所持するユーザ側装置と、
を備える情報通信システムに用いられる前記コンテンツ配信装置であって、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、
前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備えること
を特徴とするコンテンツ配信装置。
【請求項２８】
前記コンテンツ配信装置は、前記コンテンツ送信手段により送信されたコンテンツデータの表すコンテンツの情報を新規コンテンツ情報としてそのコンテンツの購入者であるユーザのユーザ側装置へ送信する購入情報通知手段を備え、
前記ユーザ側装置は、前記新規コンテンツ情報を受信した場合に、その新規コンテンツ情報の表すコンテンツを購入済のコンテンツとして前記所有コンテンツ情報に追加する所有情報更新手段を備えること
を特徴とする請求項２７に記載のコンテンツ配信装置。
【請求項２９】
前記コンテンツ出力装置のコンテンツ補充手段は、当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合であって、そのユーザ側装置が登録ユーザのものでないときには、記憶されていないコンテンツを制限付きで出力可能な制限付コンテンツデータの送信要求を前記所有者情報とともに前記コンテンツ配信装置へ送信し、前記コンテンツ配信装置から受信した制限付コンテンツデータを前記コンテンツ記憶手段に記憶させるように構成されており、
前記コンテンツ配信装置は、前記コンテンツ出力装置から制限付コンテンツデータの送信要求を受信した場合に、その送信要求とともに受信した所有者情報に基づき特定されるユーザの購入履歴としてそのコンテンツの購入情報が記憶されていることを条件として、その制限付コンテンツデータを要求元のコンテンツ出力装置へ送信する制限付コンテンツ送信手段を備えること
を特徴とする請求項２７又は請求項２８に記載のコンテンツ配信装置。
【請求項３０】
コンテンツ記憶手段に記憶されているコンテンツデータの表すコンテンツを出力可能なコンテンツ出力装置と、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備える、前記コンテンツ出力装置にコンテンツデータを配信するコンテンツ配信装置と、
ユーザが購入済のコンテンツのリスト情報である所有コンテンツ情報を記憶する所有情報記憶手段と、無線通信可能な状態にあるコンテンツ出力装置へ前記所有コンテンツ情報を送信する所有情報送信手段を備える、前記コンテンツ出力装置を利用するユーザが所持するユーザ側装置と、
を備える情報通信システムに用いられる前記コンテンツ出力装置としてコンピュータを機能させるためのコンテンツ出力装置用プログラムであって、
ユーザからコンテンツの購入を要求された場合に、そのコンテンツデータの購入要求を購入者であるユーザを特定可能な購入者情報とともに前記コンテンツ配信装置へ送信し、前記コンテンツ配信装置から受信したコンテンツデータを前記コンテンツ記憶手段に記憶させるコンテンツ購入手段と、
当該コンテンツ出力装置と無線通信可能な状態にあるユーザ側装置から受信した所有コンテンツ情報に基づき特定されるコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段としてコンピュータを機能させること
を特徴とするコンテンツ出力装置用プログラム。
【請求項３１】
ユーザからコンテンツの購入を要求された場合に、そのコンテンツデータの購入要求を購入者であるユーザを特定可能な購入者情報とともにコンテンツ配信装置へ送信し、前記コンテンツ配信装置から受信したコンテンツデータをコンテンツ記憶手段に記憶させるコンテンツ購入手段と、無線通信可能な状態にあるユーザ側装置から受信した所有コンテンツ情報に基づき特定されるそのユーザ側装置のユーザが購入済のコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備える、前記コンテンツ記憶手段に記憶されているコンテンツデータの表すコンテンツを出力可能なコンテンツ出力装置と、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段を備える、前記コンテンツ出力装置にコンテンツデータを配信するコンテンツ配信装置と、
ユーザが購入済のコンテンツのリスト情報である所有コンテンツ情報を記憶する所有情報記憶手段を備える、前記コンテンツ出力装置を利用するユーザが所持するユーザ側装置と、
を備える情報通信システムに用いられる前記ユーザ側装置としてコンピュータを機能させるためのユーザ側装置用プログラムであって、
当該ユーザ側装置と無線通信可能な状態にあるコンテンツ出力装置へ前記所有コンテンツ情報を送信する所有情報送信手段としてコンピュータを機能させること
を特徴とするユーザ側装置用プログラム。
【請求項３２】
ユーザからコンテンツの購入を要求された場合に、そのコンテンツデータの購入要求を購入者であるユーザを特定可能な購入者情報とともにコンテンツ配信装置へ送信し、前記コンテンツ配信装置から受信したコンテンツデータをコンテンツ記憶手段に記憶させるコンテンツ購入手段と、無線通信可能な状態にあるユーザ側装置から受信した所有コンテンツ情報に基づき特定されるそのユーザ側装置のユーザが購入済のコンテンツのうち前記コンテンツ記憶手段にコンテンツデータの記憶されていないものが存在する場合に、記憶されていないコンテンツデータの送信要求をそのユーザ側装置のユーザを特定可能な所有者情報とともに前記コンテンツ配信装置へ送信し、前記コンテンツ配信装置から受信したコンテンツデータを前記コンテンツ記憶手段に記憶させるコンテンツ補充手段を備える、前記コンテンツ記憶手段に記憶されているコンテンツデータの表すコンテンツを出力可能なコンテンツ出力装置と、
前記コンテンツ出力装置にコンテンツデータを配信するコンテンツ配信装置と、
ユーザが購入済のコンテンツのリスト情報である所有コンテンツ情報を記憶する所有情報記憶手段と、無線通信可能な状態にあるコンテンツ出力装置へ前記所有コンテンツ情報を送信する所有情報送信手段を備える、前記コンテンツ出力装置を利用するユーザが所持するユーザ側装置と、
を備える情報通信システムに用いられる前記コンテンツ配信装置としてコンピュータを機能させるためのコンテンツ配信装置用プログラムであって、
前記コンテンツ出力装置からコンテンツデータの購入要求を受信した場合に、その購入要求とともに受信した購入者情報に基づき特定されるユーザの購入履歴としてそのコンテンツの購入情報を記憶するとともに、そのコンテンツデータを要求元のコンテンツ出力装置へ送信するコンテンツ送信手段と、
前記コンテンツ出力装置からコンテンツデータの送信要求を受信した場合に、その送信要求とともに受信した所有者情報に基づき特定されるユーザの購入履歴としてそのコンテンツの購入情報が記憶されていることを条件として、そのコンテンツデータを要求元のコンテンツ出力装置へ送信するコンテンツ再送手段としてコンピュータを機能させること
を特徴とするコンテンツ配信装置用プログラム。
【発明の詳細な説明】
【技術分野】
【０００１】
本発明は、コンテンツを利用するための情報通信システムに関するものである。
【背景技術】
【０００２】
従来、コンテンツデータを配信するコンテンツ配信装置と、コンテンツ配信装置からダウンロードしたコンテンツデータの表すコンテンツを出力可能なコンテンツ出力装置を備える情報通信システムが知られている。こうした情報通信システムに関しては、コンテンツデータの著作権を保護しつつ、コンテンツを利用するユーザの利便性を向上させるために、種々の提案がなされている。
【０００３】
例えば、特許文献１には、複数のユーザからなる特定の正規利用者グループに対し、通信回線を介して受信・購入されたコンテンツを受信端末以外の端末においても利用可能とする構成の情報通信システムが開示されている。この情報通信システムにおいて、ユーザは、カードごとに異なる利用者識別番号やグループに共通のグループ秘密鍵等が記憶されたカードをコンテンツが蓄積された端末装置に挿入し、更にパスワードを入力することによりコンテンツを利用する。
【０００４】
また、特許文献２には、車両の所有者以外のユーザが音楽配信サーバに保存している音楽データを、その車両に搭載された音楽再生装置で無料再生することを可能とするための構成が開示されている。この音楽再生装置で音楽配信を受けたいユーザは、自身のユーザＩＤ情報を音楽再生装置に入力し、音楽配信装置との間で認証確認が行われた後に、配信を希望する音楽データのダウンロードを要求する。
【０００５】
また、特許文献３には、購入したコンテンツを種々の場所で楽しむことを可能とするための構成が開示されている。具体的には、ユーザは、コンテンツを出力する権利を有することを示す情報である識別情報が記録された記録媒体を、コンテンツを出力させたいコンテンツ出力装置に挿入する。これにより、記録媒体に記録された識別情報がコンテンツ出力装置によって読み出され、そのユーザが出力する権利を有するコンテンツデータをサーバ装置からそのコンテンツ出力装置にダウンロード可能となる。
【特許文献１】特開平７−２９７８１８号公報
【特許文献２】特開２００２−１１６７６９号公報
【特許文献３】特開２００４−６２７２８号公報
【発明の開示】
【発明が解決しようとする課題】
【０００６】
しかしながら、前述した構成では、購入済のコンテンツをそのコンテンツデータが記憶されていないコンテンツ出力装置で出力するためには、そのコンテンツデータをコンテンツ配信装置から取得するための操作をユーザに行わせなければならない。このようにユーザ側で意識して操作を行わなければならないのは、ユーザにとっては煩わしいという問題がある。
【０００７】
本発明は、こうした問題にかんがみてなされたものであり、ユーザが購入済のコンテンツをそのコンテンツデータが記憶されていないコンテンツ出力装置で煩わしい操作を行うことなく利用可能な情報通信システムを提供することを目的としている。
【課題を解決するための手段】
【０００８】
請求項１に記載の情報通信システムによれば、ユーザは、購入済のコンテンツをそのコンテンツデータが記憶されていないコンテンツ出力装置で煩わしい操作を行うことなく利用することが可能となる。すなわち、この情報通信システムにおいて、ユーザが所持するユーザ側装置には、ユーザが購入済のコンテンツのリスト情報である所有コンテンツ情報が記憶されており、ユーザ側装置と無線通信可能な状態にあるコンテンツ出力装置へ送信される。そして、コンテンツ出力装置は、ユーザが購入済のコンテンツのうち当該コンテンツ出力装置に記憶されていないものが存在する場合に、そのコンテンツデータをコンテンツ配信装置から取得する。このような情報通信システムによれば、ユーザが利用しようとするコンテンツ出力装置にそのユーザが購入済のコンテンツが自動的に補充されるようにすることが可能となる。この結果、ユーザは、煩わしい操作を行うことなく購入済のコンテンツをコンテンツ出力装置で利用することができる。
【０００９】
なお、コンテンツとしては、音楽／音声、画像、動画、文字情報、地図情報等、様々なものが挙げられる。一般に、コンテンツの購入は、対価の支払いを条件にコンテンツデータを取得することにより行われるが、本発明でいう購入は、対価の支払いを必須とするものではなく、例えば無償による取得も含まれ得る。また、コンテンツの出力とは、例えば、音楽コンテンツ等の再生、画像コンテンツ等の表示などを意味する。
【００１０】
ところで、ユーザ側装置に記憶される所有コンテンツ情報は、例えば次のように更新することができる。
すなわち、請求項２に記載の情報通信システムでは、コンテンツ出力装置が、コンテンツが購入された場合に、そのコンテンツの情報を新規コンテンツ情報としてユーザ側装置へ送信する。そして、ユーザ側装置が、受信した新規コンテンツ情報の表すコンテンツを購入済のコンテンツとして所有コンテンツ情報に追加する。このような構成によれば、ユーザがコンテンツを購入することでユーザ側装置に記憶される所有コンテンツ情報が更新されるため、所有コンテンツ情報を最新の情報に維持することができる。
【００１１】
特に、請求項３に記載のように、コンテンツ出力装置が、新規コンテンツ情報を、コンテンツの購入者であるユーザのユーザ側装置へ送信するように構成するとよい。このようにすれば、購入者以外のユーザのユーザ側装置が存在する場合に、そのユーザ側装置へ新規コンテンツ情報が送信されてそのユーザ側装置に記憶されている所有コンテンツ情報が誤って更新されてしまうことを防ぐことができる。
【００１２】
なお、コンテンツの購入者は、例えば、コンテンツの出力装置の所有者であるユーザとしてもよく、また、コンテンツの購入要求とともにユーザに入力させるようにしてもよい。
【００１３】
また、請求項４に記載の情報通信システムでは、コンテンツ出力装置が、当該コンテンツ出力装置に記憶されているコンテンツのうちユーザ側装置に記憶されていないものの情報を新規コンテンツ情報としてそのユーザ側装置へ送信する。そして、ユーザ側装置が、受信した新規コンテンツ情報の表すコンテンツを購入済のコンテンツとして所有コンテンツ情報に追加する。このような構成によれば、ユーザ側装置が存在しない状態でコンテンツが購入された場合にも、そのユーザ側装置に記憶されている所有コンテンツ情報を事後的に適切な情報に更新することができる。
【００１４】
さらに、請求項５に記載の情報通信システムでは、コンテンツ配信装置が、コンテンツが購入された場合に、そのコンテンツの情報を新規コンテンツ情報としてそのコンテンツの購入者であるユーザのユーザ側装置へ送信する。そして、ユーザ側装置が、受信した新規コンテンツ情報の表すコンテンツを購入済のコンテンツとして所有コンテンツ情報に追加する。このような構成によれば、ユーザがコンテンツを購入することでユーザ側装置に記憶される所有コンテンツ情報が更新されるため、所有コンテンツ情報を最新の情報に維持することができる。
【００１５】
ところで、本発明の情報通信システムの構成によれば、コンテンツ出力装置を用いてユーザが購入したコンテンツが、別のコンテンツ出力装置にも補充されるが、このような補充を無条件に行うことは著作権の保護の面で好ましくない。例えば、ユーザＡがコンテンツ出力装置Ａ１を用いて購入したコンテンツを、そのユーザＡが所有する別のコンテンツ出力装置Ａ２に補充する場合と、他のユーザＢが所有するコンテンツ出力装置Ｂに補充する場合では、前者よりも後者を制限する必要がある。
【００１６】
そこで、請求項６に記載の情報通信システムでは、ユーザが購入済のコンテンツのうち当該コンテンツ出力装置に記憶されていないものが存在する場合であって、そのユーザが登録ユーザでないときには、制限付コンテンツデータをコンテンツ配信装置から取得する。このような情報通信システムによれば、コンテンツの不正取得を防止することができる。なお、登録ユーザは、例えばコンテンツ出力装置の所有者であるユーザとすることが考えられる。
【００１７】
この場合、例えば請求項７に記載のように、取得する制限付コンテンツデータをユーザにより選択させるようにしてもよい。このようにすれば、ユーザの意に反して不要な制限付コンテンツデータが自動的に取得されてしまうことを防ぐことができる。
【００１８】
一方、著作権の保護を強化する面では、例えば請求項８に記載のように、登録ユーザが存在しなければコンテンツ出力装置によるコンテンツの出力及び新たなコンテンツの購入のうち少なくとも一方を禁止するように構成してもよい。このような構成によれば、コンテンツの不正取得や不正使用を防止することができる。
【００１９】
具体的には、例えば請求項９に記載のように、登録ユーザのユーザ側装置がコンテンツ出力装置と無線通信可能な状態にある場合に、登録ユーザが存在すると判定するとよい。このようにすれば、登録ユーザの存在を容易に判定することができる。
【００２０】
また、例えば、請求項１０に記載のように、特徴検出手段により登録ユーザの身体的特徴が検出された場合に、登録ユーザが存在すると判定してもよい。このようにすれば、登録ユーザは、ユーザ側装置を所持していない状態においてもコンテンツを利用することができる。
【００２１】
一方、ユーザが利用しようとするコンテンツ出力装置にそのユーザが購入済のコンテンツが補充されるタイミングは早い方が好ましい。
そこで、請求項１１に記載の情報通信システムでは、ユーザ側装置は、当該ユーザ側装置と無線通信可能な状態にあるコンテンツ出力装置が検出された時点で、そのコンテンツ出力装置へ所有コンテンツ情報を送信する。このため、コンテンツの補充を早いタイミングで行うことができる。
【００２２】
また、コンテンツ出力装置としては、例えば請求項１２に記載のように、車両に搭載されて用いられるものが挙げられる。この場合、複数の車両を所有するユーザは、ある車両において購入したコンテンツを、別の車両においても利用することが可能となる。
【００２３】
次に、請求項１３〜２１に記載のコンテンツ出力装置によれば、請求項１〜４，６〜１０の情報通信システムをそれぞれ構築することができ、これにより前述した効果を得ることができる。
【００２４】
また、請求項２２〜２６に記載のユーザ側装置によれば、請求項１，２，４，５，１１の情報通信システムをそれぞれ構築することができ、これにより前述した効果を得ることができる。
【００２５】
さらに、請求項２７〜２９に記載のコンテンツ配信装置によれば、請求項１，５，６の情報通信システムをそれぞれ構築することができ、これにより前述した効果を得ることができる。
【００２６】
一方、請求項３０に記載のコンテンツ出力装置用プログラムによれば、請求項１３のコンテンツ出力装置としてコンピュータを機能させることができ、これにより前述した効果を得ることができる。
【００２７】
また、請求項３１に記載のユーザ側装置用プログラムによれば、請求項２２のユーザ側装置としてコンピュータを機能させることができ、これにより前述した効果を得ることができる。
【００２８】
さらに、請求項３２に記載のコンテンツ配信装置用プログラムによれば、請求項２７のコンテンツ配信装置としてコンピュータを機能させることができ、これにより前述した効果を得ることができる。
【発明を実施するための最良の形態】
【００２９】
以下、本発明が適用された実施形態について、図面を用いて説明する。
［１．第１実施形態］
まず、第１実施形態の情報通信システムについて説明する。
【００３０】
［１−１．全体構成］
図１は、第１実施形態の情報通信システムの概略構成を表すブロック図である。
この情報通信システムは、車両５０に搭載された車載装置１０と、ユーザが所持する携帯装置２０と、車載装置１０で利用可能なコンテンツ（以下「車両用コンテンツ」という。）のデータ（コンテンツデータ）を配信するコンテンツ配信サーバ３０から構成される。
【００３１】
ここで、この情報通信システムを構成する各装置１０，２０，３０の具体的な構成について説明する。
［１−１−１．車載装置の構成］
車載装置１０は、制御部１１、記憶部１２、操作部１３、表示部１４、音出力部１５、車外通信部１６及び近距離通信部１７を備える。なお、車載装置１０は、必ずしも単体の装置として構成される必要はなく、車両５０に搭載された複数の装置から構成されるものであってもよい。
【００３２】
制御部１１は、ＣＰＵ、ＲＯＭ、ＲＡＭ等からなるマイクロコンピュータを中心に構成されており、各種処理を実行する。
記憶部１２は、ハードディスク等の記憶媒体に各種情報を記憶する。
【００３３】
具体的には、記憶部１２には、当該車載装置１０が搭載される車両５０の所有者であるユーザ（車両オーナ）に固有の識別情報であるユーザ識別情報があらかじめ記憶されている。なお、ユーザ識別情報は、例えば、ユーザが本情報通信システムを利用するための加入手続を行った際に記憶部１２に書き込まれる。
【００３４】
また、記憶部１２には、コンテンツ配信サーバ３０からダウンロードしたコンテンツデータが記憶される。そして、車載装置１０は、車両５０に乗車しているユーザにより行われる操作に従い、記憶部１２に記憶されているコンテンツデータの表す車両用コンテンツを出力可能に構成されている。なお、コンテンツデータは、違法コピー防止のため、コンテンツデータごとに異なる制限解除キーを用いた状態でのみ出力可能となっており、記憶部１２には、コンテンツデータとともにそのコンテンツデータに対応する制限解除キーが記憶される。
【００３５】
操作部１３は、ユーザからの外部操作による指令を入力するためのものであり、例えば、表示部１４と一体になったタッチスイッチや、メカニカルなスイッチ等を用いて構成される。
【００３６】
表示部１４は、車両５０に乗車しているユーザに対して各種情報を表示するためのものであり、例えば液晶ディスプレイを用いて構成される。
音出力部１５は、車両５０の室内に設けられたスピーカから音声や音楽等の音を出力する。
【００３７】
車外通信部１６は、コンテンツ配信サーバ３０との間でインターネットを介してデータ通信可能に構成されている。
近距離通信部１７は、携帯装置２０との間で近距離無線通信を行うためのものであり、車両５０の室内全域をカバーする通信エリア（近距離無線通信可能なエリア）に存在する携帯装置２０との間で無線通信が可能となる。なお、近距離無線通信としては、例えば、Ｂｌｕｅｔｏｏｔｈ（登録商標）、ＤＳＲＣ（Ｄｅｄｉｃａｔｅｄ  Ｓｈｏｒｔ  Ｒａｎｇｅ  Ｃｏｍｍｕｎｉｃａｔｉｏｎ）、無線ＬＡＮ、ＺＩＧＢＥＥ（登録商標）等が挙げられる。
【００３８】
［１−１−２．携帯装置の構成］
携帯装置２０は、車両５０に乗車するユーザが携帯可能な可搬型端末（本実施形態では携帯電話端末）であり、制御部２１、記憶部２２及び近距離通信部２３を備える。
【００３９】
制御部２１は、ＣＰＵ、ＲＯＭ、ＲＡＭ等からなるマイクロコンピュータを中心に構成されており、各種処理を実行する。
記憶部２２は、各種情報を記憶可能に構成されている。
【００４０】
そして、記憶部２２には、当該携帯装置２０の所有者であるユーザに固有の識別情報であるユーザ識別情報があらかじめ記憶されている。なお、ユーザ識別情報は、例えば、ユーザが本情報通信システムを利用するための加入手続を行った際に記憶部２２に書き込まれる。
【００４１】
また、記憶部２２には、当該携帯装置２０の所有者であるユーザが過去に購入した車両用コンテンツのリスト情報である所有コンテンツ情報が記憶される。具体的には、車両用コンテンツを一義的に特定可能な識別情報であるコンテンツ識別情報が所有コンテンツ情報として記憶されている。なお、本実施形態では、コンテンツデータの表すデータの一部がコンテンツ識別情報として用いられる。
【００４２】
近距離通信部２３は、車載装置１０との間で前述した近距離無線通信を行うためのものである。
［１−１−３．コンテンツ配信サーバの構成］
コンテンツ配信サーバ３０は、車両用コンテンツを販売する業者により管理される車両用コンテンツ配信用のサーバ装置であり、制御部３１、記憶部３２及び通信部３３を備える。
【００４３】
制御部３１は、ＣＰＵ、ＲＯＭ、ＲＡＭ等からなるマイクロコンピュータを中心に構成されており、各種処理を実行する。
記憶部３２は、各種情報を記憶可能に構成されている。
【００４４】
そして、記憶部３２には、配信用の車両用コンテンツを表すコンテンツデータのデータベースであるコンテンツデータベースが記憶されている。なお、記憶部３２には、コンテンツデータとともに各コンテンツデータに対応する制限解除キーが記憶されている。
【００４５】
また、記憶部３２には、過去に購入された車両用コンテンツの履歴を管理するためのデータベースである購入履歴データベースが記憶されている。
通信部３３は、車載装置１０との間でインターネットを介してデータ通信可能に構成されている。
【００４６】
［１−２．情報通信システムで実行される処理］
次に、第１実施形態の情報通信システムを構成する各装置１０，２０，３０で実行される処理について説明する。
【００４７】
［１−２−１．コンテンツ取得処理］
まず、車載装置１０の制御部１１により実行されるコンテンツ取得処理について、図２のフローチャートを用いて説明する。このコンテンツ取得処理は、車載装置１０の電源がオン（車両５０のアクセサリスイッチ（ＡＣＣスイッチ）がオン）されることにより開始され、車載装置１０の電源がオフされるまで継続して行われる。
【００４８】
制御部１１は、コンテンツ取得処理を開始すると、まず、Ｓ１０１で、車両オーナの所有する携帯装置２０が車両５０の室内で検出されたか否かを判定し、検出されたと判定した場合にＳ１０２へ移行する。具体的には、近距離通信部１７を介して近距離無線通信可能な状態にある携帯装置２０であって車両オーナのユーザ識別情報が記憶されたものが存在するか否かを判定する。つまり、車両５０の所有者であるユーザが車両５０に乗車しているか否かを判定するようにしている。
【００４９】
Ｓ１０２では、所有コンテンツ情報の送信要求である所有情報送信要求を、車両オーナが所有する携帯装置２０へ近距離通信部１７を介して送信する。これにより、車両オーナが所有する携帯装置２０から当該車載装置１０へ所有コンテンツ情報が送信されてくる（後述する情報送信処理（図３）におけるＳ２０２）。
【００５０】
続いて、Ｓ１０３では、携帯装置２０から所有コンテンツ情報を受信する。
続いて、Ｓ１０４では、Ｓ１０３で受信した所有コンテンツ情報の表す車両用コンテンツ（車両オーナが過去に購入した車両用コンテンツ）の中に、記憶部１２にコンテンツデータの記憶されていないものが存在するか否かを判定する。つまり、車両オーナが購入済の車両用コンテンツであるにもかかわらず車載装置１０に記憶されていないもの（車両オーナが当該車載装置１０以外の装置を介して購入した車両用コンテンツ等）が存在するか否かを判定するようにしている。
【００５１】
このＳ１０４で、記憶部１２にコンテンツデータが記憶されていない車両用コンテンツが存在すると判定した場合には、Ｓ１０５へ移行する。そして、Ｓ１０５では、不足する車両用コンテンツのコンテンツデータの送信要求である不足データ送信要求を、記憶部１２に記憶される車両オーナのユーザ識別情報とともに、車外通信部１６を介してコンテンツ配信サーバ３０へ送信する。これにより、不足する車両用コンテンツのコンテンツデータとそのコンテンツデータを利用可能とするための制限解除キーが、コンテンツ配信サーバ３０から当該車載装置１０へ送信されてくる（後述するコンテンツ配信処理（図４）におけるＳ３０３）。
【００５２】
続いて、Ｓ１０６では、コンテンツ配信サーバ３０からコンテンツデータ及び制限解除キーを受信し、記憶部１２に記憶させる。その後、Ｓ１０７へ移行する。
一方、Ｓ１０４で、記憶部１２にコンテンツデータが記憶されていない車両用コンテンツが存在しないと判定した場合には、Ｓ１０５，Ｓ１０６の処理を行わずにＳ１０７へ移行する。
【００５３】
つまり、Ｓ１０１〜Ｓ１０６では、車両オーナが過去に購入した車両用コンテンツのコンテンツデータであって当該車載装置１０に記憶されていないものを、コンテンツ配信サーバ３０からダウンロードして補充するようにしている。
【００５４】
Ｓ１０７では、新たな車両用コンテンツの購入を要求する操作がユーザにより操作部１３で行われたか否かを判定し、購入操作が行われたと判定した場合にＳ１０８へ移行する。
【００５５】
Ｓ１０８では、ユーザにより要求された車両用コンテンツを表すコンテンツデータの購入要求を、記憶部１２に記憶される車両オーナ（購入者）のユーザ識別情報とともに、車外通信部１６を介してコンテンツ配信サーバ３０へ送信する。これにより、購入を要求した車両用コンテンツのコンテンツデータとそのコンテンツデータを利用可能とするための制限解除キーがコンテンツ配信サーバ３０から当該車載装置１０へ送信されてくる（後述するコンテンツ配信処理（図４）におけるＳ３０６）。
【００５６】
続いて、Ｓ１０９では、コンテンツ配信サーバ３０からコンテンツデータ及び制限解除キーを受信し、記憶部１２に記憶させる。これにより、購入した車両用コンテンツのコンテンツデータが記憶部１２に記憶されている購入済のコンテンツデータに追加されることになる。
【００５７】
続いて、Ｓ１１０では、購入した車両用コンテンツのコンテンツ識別情報を、車両オーナが所有する携帯装置２０へ近距離通信部１７を介して送信する。これにより、携帯装置２０に記憶される所有コンテンツ情報に、新たに購入した車両用コンテンツの情報が追加される（後述する情報送信処理（図３）におけるＳ２０４）。
【００５８】
つまり、Ｓ１０７〜Ｓ１１０では、車両用コンテンツを購入する操作が行われた場合に、購入要求のあった車両用コンテンツのコンテンツデータをコンテンツ配信サーバ３０からダウンロードするとともに、その旨を携帯装置２０へ通知するようにしている。
【００５９】
［１−２−２．情報送信処理］
次に、携帯装置２０の制御部２１により実行される情報送信処理について、図３のフローチャートを用いて説明する。この情報送信処理は、携帯装置２０の電源がオンされることにより開始され、携帯装置２０の電源がオフされるまで継続して行われる。
【００６０】
制御部２１は、情報送信処理を開始すると、まず、Ｓ２０１で、所有コンテンツ情報の送信要求である所有情報送信要求が受信されたか否かを判定する。ここで、所有情報送信要求は、前述したように（Ｓ１０１，Ｓ１０２）、ユーザが携帯装置２０を所持した状態でそのユーザの所有する車両５０に乗車することにより、車載装置１０から近距離無線通信で送信される。
【００６１】
そして、Ｓ２０１で、所有情報送信要求が受信されたと判定した場合には、Ｓ２０２へ移行し、記憶部２２に記憶されている所有コンテンツ情報を要求元の装置へ送信し、Ｓ２０１へ戻る。つまり、携帯装置２０は、当該携帯装置２０と近距離無線通信可能な状態にある車載装置１０を所有情報送信要求に基づき検出した時点で、その車載装置１０へ所有コンテンツ情報を送信する。
【００６２】
一方、Ｓ２０１で、所有情報送信要求が受信されていないと判定した場合には、Ｓ２０３へ移行し、コンテンツ識別情報が受信されたか否かを判定する。ここで、コンテンツ識別情報は、前述したように（Ｓ１１０）、車載装置１０を介して新しい車両用コンテンツが購入されることにより、その車載装置１０から近距離無線通信で送信される。
【００６３】
そして、Ｓ２０３で、コンテンツ識別情報が受信されたと判定した場合には、Ｓ２０４へ移行し、受信したコンテンツ識別情報を、記憶部２２に記憶されている所有コンテンツ情報に追加する。その後、Ｓ２０１へ戻る。
【００６４】
一方、Ｓ２０３で、コンテンツ識別情報が受信されていないと判定した場合には、そのままＳ２０１へ戻る。
［１−２−３．コンテンツ配信処理］
次に、コンテンツ配信サーバ３０の制御部３１により実行されるコンテンツ配信処理について、図４のフローチャートを用いて説明する。このコンテンツ配信処理は、コンテンツ配信サーバ３０の電源がオンされることにより開始され、コンテンツ配信サーバ３０の電源がオフされるまで継続して行われる。
【００６５】
制御部３１は、コンテンツ配信処理を開始すると、まず、Ｓ３０１で、車載装置１０に不足する車両用コンテンツのコンテンツデータの送信要求である不足データ送信要求が受信されたか否かを判定する。ここで、不足データ送信要求は、前述したように（Ｓ１０４，Ｓ１０５）、車両オーナが購入済の車両用コンテンツであるにもかかわらず車載装置１０に記憶されていないものが存在する場合に、その車載装置１０から車両オーナのユーザ識別情報とともに送信される。
【００６６】
そして、Ｓ３０１で、不足データ送信要求が受信されたと判定した場合には、Ｓ３０２へ移行し、不足データ送信要求により要求された車両用コンテンツが購入済のものであるか否かを判定する。具体的には、記憶部３２に記憶されている購入履歴データベースを参照し、受信したユーザ識別情報のユーザが、要求する車両用コンテンツを過去に購入しているか否かを確認する。
【００６７】
そして、Ｓ３０２で、要求された車両用コンテンツが購入済のものであると判定した場合には、Ｓ３０３へ移行し、要求された車両用コンテンツのコンテンツデータとそのコンテンツデータを利用可能とするための制限解除キーを要求元の装置へ送信する。その後、Ｓ３０１へ戻る。
【００６８】
一方、Ｓ３０１で、不足データ送信要求が受信されていないと判定した場合には、Ｓ３０４へ移行し、コンテンツデータの購入要求が受信されたか否かを判定する。ここで、コンテンツデータの購入要求は、前述したように（Ｓ１０７，Ｓ１０８）、車載装置１０で新たな車両用コンテンツの購入を要求する操作が行われることにより、その車載装置１０から車両オーナのユーザ識別情報とともに送信される。
【００６９】
そして、Ｓ３０４で、コンテンツデータの購入要求が受信されたと判定した場合には、Ｓ３０５へ移行し、記憶部３２に記憶されている購入履歴データベースを更新するとともに、課金処理を行う。具体的には、受信したユーザ識別情報のユーザの購入履歴に購入要求のあった車両用コンテンツ追加するように購入履歴データベースを書き換えるとともに、そのユーザから対価を徴収するための課金処理を行う。
【００７０】
続いて、Ｓ３０６では、購入要求のあった車両用コンテンツのコンテンツデータとそのコンテンツデータを利用可能とするための制限解除キーを要求元の装置へ送信する。その後、Ｓ３０１へ戻る。
【００７１】
一方、Ｓ３０４で、コンテンツデータの購入要求が受信されていないと判定した場合には、そのままＳ３０１へ戻る。
［１−３．使用例］
次に、第１実施形態の情報通信システムの使用例について説明する。ここでは、複数の車両５０（説明の便宜上「車両Ａ１」、「車両Ａ２」とする。）の所有者であるユーザＡを例に挙げて説明する。
【００７２】
携帯装置２０を所持して車両Ａ１に乗車しているユーザＡが、車両Ａ１に搭載されている車載装置１０（説明の便宜上「車載装置Ａ１」とする。）で車両用コンテンツ（例えばナビゲーション装置用の更新地図データ）を新たに購入する操作を行うと、その車両用コンテンツのコンテンツデータがコンテンツ配信サーバ３０からダウンロードされる。これにより、ユーザＡは、購入した車両用コンテンツを車載装置Ａ１で利用することができる。また、購入した車両用コンテンツのコンテンツ識別情報が車載装置Ａ１から携帯装置２０へ自動的に送信され、ユーザが購入済の車両用コンテンツのリスト情報である所有コンテンツ情報に追加される。
【００７３】
その後、ユーザＡが携帯装置２０を所持して車両Ａ２に乗車すると、車両Ａ２に搭載されている車載装置１０（説明の便宜上「車載装置Ａ２」とする。）により携帯装置２０が検出され、携帯装置２０に記憶されている所有コンテンツ情報が自動的に取得される。そして、車載装置Ａ２に不足している車両用コンテンツのコンテンツデータが、コンテンツ配信サーバ３０から車載装置Ａ２へ自動的にダウンロードされる。この結果、ユーザＡは、車載装置Ａ１を介して購入した車両用コンテンツについても、車載装置Ａ２で利用することができる。
【００７４】
［１−４．効果］
以上説明したように、第１実施形態の情報通信システムによれば、次の効果が得られる。
【００７５】
・車両５０の所有者であるユーザが携帯装置２０を所持して車両５０に乗車することで、そのユーザが購入済の車両用コンテンツであってその車両５０に搭載された車載装置１０に記憶されていないものが自動的に補充される。このため、ユーザに煩わしい操作を行わせることなく（ユーザに意識させることなく）、ユーザの所有する車両５０で購入された車両用コンテンツをそのユーザの所有する別の車両５０でも利用可能とすることができる。
【００７６】
・携帯装置２０は、当該携帯装置２０と無線通信可能な状態にある車載装置１０を検出した時点で、その車載装置１０へ所有コンテンツ情報を送信する。このため、ユーザが車両５０に乗車して車載装置１０で車両コンテンツの利用を開始する前に、不足する車両用コンテンツを補充することができる。
【００７７】
・携帯装置２０は、車載装置１０からの要求に応じて所有コンテンツ情報を送信するため、車載装置１０からの要求に関係なく（例えば定期的に）所有コンテンツ情報を送信する構成に比べ、不要な送信処理を少なくすることができる。
【００７８】
・ユーザが車両用コンテンツを購入することで、そのユーザの携帯装置２０に記憶される所有コンテンツ情報が更新されるため、所有コンテンツ情報を最新の情報に維持することができる。
【００７９】
・車載装置１０が、購入された車両用コンテンツのコンテンツ識別情報を購入者のユーザの携帯装置２０へのみ送信するようにしているため、別のユーザの携帯装置２０に記憶されている所有コンテンツ情報が誤って更新されてしまうことが防止される。
【００８０】
［１−５．特許請求の範囲との対応］
なお、第１実施形態の情報通信システムでは、車載装置１０が、コンテンツ出力装置に相当する。そして、コンテンツ取得処理（図２）におけるＳ１０１〜Ｓ１０６の処理を実行する制御部１１が、コンテンツ補充手段に相当し、Ｓ１０７〜Ｓ１０９の処理を実行する制御部１１が、コンテンツ購入手段に相当し、Ｓ１１０の処理を実行する制御部１１が、購入情報通知手段に相当し、記憶部１２が、コンテンツ記憶手段に相当する。
【００８１】
また、携帯装置２０が、ユーザ側装置に相当する。そして、情報送信処理（図３）におけるＳ２０１，Ｓ２０２の処理を実行する制御部２１が、所有情報送信手段に相当し、Ｓ２０３，Ｓ２０４の処理を実行する制御部２１が、所有情報更新手段に相当し、記憶部２２が、所有情報記憶手段に相当する。
【００８２】
また、コンテンツ配信サーバ３０が、コンテンツ配信装置に相当する。そして、コンテンツ配信処理（図４）におけるＳ３０１〜Ｓ３０３の処理を実行する制御部３１が、コンテンツ再送手段に相当し、Ｓ３０４〜Ｓ３０６の処理を実行する制御部３１が、コンテンツ送信手段に相当する。
【００８３】
［２．第２実施形態］
次に、第２実施形態の情報通信システムについて説明する。なお、全体構成図については第１実施形態の情報通信システムのもの（図１）を流用する。
【００８４】
［２−１．全体構成］
第２実施形態の情報通信システムは、第１実施形態の情報通信システムと対比すると、車両オーナ以外のユーザが過去に購入した車両用コンテンツについても期間制限付きで利用可能とする点が異なる。以下、第１実施形態の情報通信システムと相違する部分を中心に説明し、共通する部分については同一符号を用いるとともに説明を省略する。
【００８５】
［２−２．情報通信システムで実行される処理］
次に、第２実施形態の情報通信システムを構成する各装置１０，２０，３０で実行される処理について説明する。
【００８６】
［２−２−１．コンテンツ取得処理］
まず、車載装置１０の制御部１１により実行されるコンテンツ取得処理について、図５のフローチャートを用いて説明する。第２実施形態のコンテンツ取得処理は、第１実施形態のコンテンツ取得処理（図２）と対比すると、Ｓ１０１〜Ｓ１０４の処理に代えてＳ４０１〜Ｓ４０４の処理を行う点と、Ｓ４０５，Ｓ４０７〜Ｓ４０９の処理が加わっている点が異なる。その他、Ｓ４０６，Ｓ４１０〜Ｓ４１４の各処理内容は、Ｓ１０５〜Ｓ１１０の各処理内容と同一であるため、具体的な処理内容についての説明は省略する。
【００８７】
制御部１１は、コンテンツ取得処理を開始すると、まず、Ｓ４０１で、車両５０の室内で携帯装置２０（車両オーナの所有するものに限らない。）が検出されたか否かを判定し、検出されたと判定した場合にＳ４０２へ移行する。具体的には、近距離通信部１７を介して近距離無線通信可能な状態にある携帯装置２０が存在するか否かを判定する。つまり、携帯装置２０を所持したユーザが車両５０に乗車しているか否かを判定するようにしている。
【００８８】
Ｓ４０２では、所有コンテンツ情報及びユーザ識別情報の送信要求である所有情報送信要求を、Ｓ４０１で検出された携帯装置２０へ近距離通信部１７を介して送信する。これにより、車両５０に乗車しているユーザの所有する携帯装置２０から当該車載装置１０へ所有コンテンツ情報及びユーザ識別情報が送信されてくる（後述する情報送信処理（図６）におけるＳ５０２）。なお、Ｓ４０１で複数の携帯装置２０が検出されたと判定した場合には、各携帯装置２０に対し所有情報送信要求を送信する。
【００８９】
続いて、Ｓ４０３では、携帯装置２０から所有コンテンツ情報及びユーザ識別情報を受信する。
続いて、Ｓ４０４では、Ｓ４０３で受信した所有コンテンツ情報の表す車両用コンテンツ（車両５０に乗車しているユーザが過去に購入した車両用コンテンツ）の中に、記憶部１２にコンテンツデータの記憶されていないものが存在するか否かを判定する。つまり、車両５０に乗車しているユーザが購入済の車両用コンテンツであるにもかかわらず車載装置１０に記憶されていないものが存在するか否かを判定するようにしている。なお、Ｓ４０１で複数の携帯装置２０が検出されたと判定した場合には、各携帯装置２０から受信した所有コンテンツ情報それぞれについて、Ｓ４０４の判定処理を行うとともに、以降のＳ４０５〜Ｓ４１０の処理を実行する。
【００９０】
そして、Ｓ４０４で、記憶部１２にコンテンツデータが記憶されていない車両用コンテンツが存在すると判定した場合には、Ｓ４０５へ移行し、所有コンテンツ情報の送信元である携帯装置２０が車両オーナの所有するものであるか否かを判定する。具体的には、所有コンテンツ情報とともに受信したユーザ識別情報が、記憶部１２に記憶されている車両オーナのユーザ識別情報と一致するか否かを判定する。
【００９１】
このＳ４０５で、車両オーナの所有するものであると判定した場合には、Ｓ４０６へ移行し、Ｓ４０６の処理（Ｓ１０５と同一の処理）を行った後、Ｓ４１０へ移行する。
一方、Ｓ４０５で、車両オーナの所有するものでないと判定した場合には、Ｓ４０７へ移行する。そして、Ｓ４０７では、不足する車両用コンテンツの名称を表示部１４に一覧表示し、不足する車両用コンテンツの中からダウンロードしたい車両用コンテンツを選択する選択操作を操作部１３で行うように車両５０に乗車しているユーザに促す。
【００９２】
続いて、Ｓ４０８では、選択操作が行われたか否かを判定する。
このＳ４０８で、選択操作が行われたと判定した場合には、Ｓ４０９へ移行する。そして、Ｓ４０９では、選択操作により選択された車両用コンテンツの期限付コンテンツデータの送信要求である期限付データ送信要求を、所有コンテンツ情報とともに受信したユーザ識別情報とともに、車外通信部１６を介してコンテンツ配信サーバ３０へ送信する。ここで、期限付コンテンツデータとは、コンテンツを出力可能な期間が制限されたコンテンツデータ（例えば１２時間）であり、車両用コンテンツの一時的な利用を可能とするためのものである。これにより、不足する車両用コンテンツの期限付コンテンツデータとそのコンテンツデータを利用可能とするための制限解除キーが、コンテンツ配信サーバ３０から当該車載装置１０へ送信されてくる（後述するコンテンツ配信処理（図７）におけるＳ６０６）。その後、Ｓ４１０へ移行する。なお、ダウンロードされた期限付コンテンツデータは、出力可能な期間が過ぎた後に記憶部１２から消去される。
【００９３】
一方、Ｓ４０８で、選択操作が行われなかったと判定した場合には、Ｓ４０９，Ｓ４１０の処理を行わずにＳ４１１へ移行する。本実施形態では、車両用コンテンツを表示部１４に一覧表示した後、一定時間（例えば１分間）が経過しても選択操作がされなかった場合に、選択操作が行われなかったと判定する。
【００９４】
つまり、第２実施形態のコンテンツ取得処理では、車両オーナ以外のユーザが過去に購入した車両用コンテンツについても、一時的に利用可能としている。
［２−２−２．情報送信処理］
次に、携帯装置２０の制御部２１により実行される情報送信処理について、図６のフローチャートを用いて説明する。第２実施形態の情報送信処理は、第１実施形態の情報送信処理（図３）と対比すると、Ｓ２０１，Ｓ２０２の処理に代えてＳ５０１，Ｓ５０２の処理を行う点が異なる。その他、Ｓ５０３，Ｓ５０４の各処理内容は、Ｓ２０３，Ｓ２０４の各処理内容と同一であるため、具体的な処理内容についての説明は省略する。
【００９５】
制御部２１は、情報送信処理を開始すると、まず、Ｓ５０１で、所有コンテンツ情報及びユーザ識別情報の送信要求である所有情報送信要求が受信されたか否かを判定する。ここで、所有情報送信要求は、前述したように（Ｓ４０１，Ｓ４０２）、ユーザが携帯装置２０を所持した状態で車両５０に乗車することにより、車載装置１０から近距離無線通信で送信される。
【００９６】
そして、Ｓ５０１で、所有情報送信要求が受信されたと判定した場合には、Ｓ５０２へ移行し、記憶部２２に記憶されている所有コンテンツ情報及び当該携帯装置２０の所有者であるユーザのユーザ識別情報を要求元の装置へ送信し、Ｓ５０１へ戻る。つまり、携帯装置２０は、当該携帯装置２０と近距離無線通信可能な状態にある車載装置１０を所有情報送信要求に基づき検出した時点で、その車載装置１０へ所有コンテンツ情報及びユーザ識別情報を送信する。
【００９７】
一方、Ｓ５０１で、所有情報送信要求が受信されていないと判定した場合には、Ｓ５０３へ移行する。
［２−２−３．コンテンツ配信処理］
次に、コンテンツ配信サーバ３０の制御部３１により実行されるコンテンツ配信処理について、図７のフローチャートを用いて説明する。第２実施形態のコンテンツ配信処理は、第１実施形態のコンテンツ配信処理（図４）と対比すると、Ｓ６０４〜Ｓ６０６の処理が加わっている点が異なる。その他、Ｓ６０１〜Ｓ６０３，Ｓ６０７〜Ｓ６０９の各処理内容は、Ｓ３０１〜Ｓ３０６の各処理内容と同一であるため、具体的な処理内容についての説明は省略する。
【００９８】
Ｓ６０１で、不足データ送信要求が受信されていないと判定した場合には、Ｓ６０４へ移行し、車両用コンテンツの期限付コンテンツデータの送信要求である期限付データ送信要求が受信されたか否かを判定する。ここで、期限付データ送信要求は、前述したように（Ｓ４０４，Ｓ４０５，Ｓ４０７〜Ｓ４０９）、車両オーナ以外のユーザが購入済の車両用コンテンツであって車載装置１０に記憶されていないものが存在する場合に、その車載装置１０からそのユーザのユーザ識別情報とともに送信される。
【００９９】
そして、Ｓ６０４で、期限付データ送信要求が受信されたと判定した場合には、Ｓ６０５へ移行し、期限付データ送信要求により要求された車両用コンテンツが購入済のものであるか否かを判定する。具体的には、記憶部３２に記憶されている購入履歴データベースを参照し、受信したユーザ識別情報のユーザが、要求する車両用コンテンツを過去に購入しているか否かを確認する。
【０１００】
そして、Ｓ６０５で、要求された車両用コンテンツが購入済のものであると判定した場合には、Ｓ６０６へ移行し、要求された車両用コンテンツの期限付コンテンツデータとそのコンテンツデータを利用可能とするための制限解除キーを要求元の装置へ送信する。その後、Ｓ６０１へ戻る。
【０１０１】
一方、Ｓ６０４で、期限付データ送信要求が受信されていないと判定した場合には、Ｓ６０７へ移行する。
［２−３．使用例］
次に、第２実施形態の情報通信システムの使用例について説明する。ここでは、車両５０（説明の便宜上「車両Ｂ」とする。）の所有者であるユーザＢを例に挙げて説明する。
【０１０２】
携帯装置２０を所持して車両Ｂに乗車しているユーザＢが、車両Ｂに搭載されている車載装置１０（説明の便宜上「車載装置Ｂ」とする。）で車両用コンテンツを新たに購入する操作を行うと、その車両用コンテンツのコンテンツデータがコンテンツ配信サーバ３０からダウンロードされる。これにより、ユーザＢは、購入した車両用コンテンツを車載装置Ｂで利用することができる。また、購入した車両用コンテンツのコンテンツ識別情報が車載装置Ｂから携帯装置２０へ自動的に送信され、ユーザが購入済の車両用コンテンツのリスト情報である所有コンテンツ情報に追加される。
【０１０３】
その後、ユーザＢが携帯装置２０を所持して他のユーザＣの車両５０（説明の便宜上「車両Ｃ」とする。）に乗車すると、車両Ｃに搭載されている車載装置１０（説明の便宜上「車載装置Ｃ」とする。）により携帯装置２０が検出され、携帯装置２０に記憶されている所有コンテンツ情報が自動的に取得される。そして、車載装置Ｃに不足している車両用コンテンツが表示部１４に一覧表示される。
【０１０４】
ユーザＢが、表示部１４に表示されている車両用コンテンツの中からダウンロードしたい車両用コンテンツを選択する選択操作を行うと、選択した車両用コンテンツの期限付コンテンツデータがコンテンツ配信サーバ３０から自動的にダウンロードされる。この結果、ユーザＢは、自身が過去に購入した車両用コンテンツを、車載装置Ｃで一時的に利用することができる。
【０１０５】
［２−４．効果］
以上説明したように、第２実施形態の情報通信システムによれば、第１実施形態と同様の効果に加え、次の効果が得られる。
【０１０６】
・車両５０の所有者でないユーザが携帯装置２０を所持して車両５０に乗車することで、そのユーザが購入済の車両用コンテンツであってその車両５０に搭載された車載装置１０に記憶されていないものの期限付コンテンツデータが補充される。このように出力可能な期間を制限することで車両用コンテンツの不正取得を防止しつつ、車両オーナ以外のユーザが購入済の車両用コンテンツについても利用可能として利便性を向上させることができる。このため、ユーザは、自身が所有者でない車両５０（例えば社有車）を運転するような場合にも、そのユーザが購入済のコンテンツを新たに購入することなく利用することができる。
【０１０７】
・ダウンロードする期限付コンテンツデータをユーザにより選択させるようにしているため、ユーザの意に反して不要な期限付コンテンツデータが自動的に取得されてしまうことを防ぐことができる。
【０１０８】
［２−５．特許請求の範囲との対応］
なお、第２実施形態の情報通信システムでは、車載装置１０が、コンテンツ出力装置に相当する。そして、コンテンツ取得処理（図５）におけるＳ４０１〜Ｓ４１０の処理を実行する制御部１１が、コンテンツ補充手段に相当し、Ｓ４１１〜Ｓ４１３の処理を実行する制御部１１が、コンテンツ購入手段に相当し、Ｓ４１４の処理を実行する制御部１１が、購入情報通知手段に相当し、記憶部１２が、コンテンツ記憶手段に相当する。
【０１０９】
また、携帯装置２０が、ユーザ側装置に相当する。そして、情報送信処理（図６）におけるＳ５０１，Ｓ５０２の処理を実行する制御部２１が、所有情報送信手段に相当し、Ｓ５０３，Ｓ５０４の処理を実行する制御部２１が、所有情報更新手段に相当し、記憶部２２が、所有情報記憶手段に相当する。
【０１１０】
また、コンテンツ配信サーバ３０が、コンテンツ配信装置に相当する。そして、コンテンツ配信処理（図７）におけるＳ６０１〜Ｓ６０３の処理を実行する制御部３１が、コンテンツ再送手段に相当し、Ｓ６０４〜Ｓ６０６の処理を実行する制御部３１が、コンテンツ送信手段に相当し、Ｓ６０７〜Ｓ６０９の処理を実行する制御部３１が、コンテンツ送信手段に相当する。
【０１１１】
［３．第３実施形態］
次に、第３実施形態の情報通信システムについて説明する。
［３−１．全体構成］
図８は、第３実施形態の情報通信システムの概略構成を表すブロック図である。
【０１１２】
第３実施形態の情報通信システムは、第１実施形態の情報通信システム（図１）と対比すると、携帯装置２０及びコンテンツ配信サーバ３０と通信可能なパーソナルコンピュータ（以下「ＰＣ」という。）４０を備える点が異なる。以下、第１実施形態の情報通信システムと相違する部分を中心に説明し、共通する部分については同一符号を用いるとともに説明を省略する。
【０１１３】
［３−１−１．ＰＣの構成］
ＰＣ４０は、ユーザの自宅や会社等で用いられるものであり、制御部４１、記憶部４２、操作部４３、表示部４４、音出力部４５、ネットワーク通信部４６及び近距離通信部４７を備える。
【０１１４】
制御部４１は、ＣＰＵ、ＲＯＭ、ＲＡＭ等からなるマイクロコンピュータを中心に構成されており、各種処理を実行する。
記憶部４２は、ハードディスク等の記憶媒体に各種情報を記憶する。
【０１１５】
具体的には、記憶部４２には、車両用コンテンツを出力するためのアプリケーションであるコンテンツ出力用アプリケーションがインストールされている。
また、記憶部４２には、コンテンツ配信サーバ３０からダウンロードしたコンテンツデータが購入ユーザ別に記憶される。そして、記憶部４２に記憶されているコンテンツデータの表す車両用コンテンツは、コンテンツ出力用アプリケーションにより出力することができる。
【０１１６】
操作部４３は、ユーザからの外部操作による指令を入力するためのものであり、例えば、キーボードやポインティングデバイス（マウス等）を用いて構成される。
表示部４４は、ユーザに対して各種情報を表示するためのものであり、例えば液晶ディスプレイを用いて構成される。
【０１１７】
音出力部４５は、スピーカから音声や音楽等の音を出力する。
ネットワーク通信部４６は、コンテンツ配信サーバ３０との間でインターネットを介してデータ通信可能に構成されている。
【０１１８】
近距離通信部４７は、携帯装置２０との間で近距離無線通信を行うためのものであり、当該ＰＣ４０近傍の通信エリア（近距離無線通信可能なエリア）に存在する携帯装置２０との間で無線通信が可能となる。
【０１１９】
［３−１−２．他の装置の構成］
車載装置１０、携帯装置２０及びコンテンツ配信サーバ３０の各構成及び実行される処理は、第１実施形態と同一である。
【０１２０】
［３−２．コンテンツ購入処理］
次に、ＰＣ４０の制御部４１により実行されるコンテンツ購入処理について、図９のフローチャートを用いて説明する。このコンテンツ購入処理は、ＰＣ４０において新たな車両用コンテンツの購入を要求する操作が行われることにより開始される。なお、ＰＣ４０における購入操作は、例えばインターネットブラウザ上で行われ、その際、購入者となるユーザのユーザ識別情報が（必要に応じてパスワード等も）入力される。
【０１２１】
制御部４１は、コンテンツ購入処理を開始すると、まず、Ｓ７０１で、ユーザにより要求された車両用コンテンツを表すコンテンツデータの購入要求を、購入操作において入力されたユーザ識別情報とともに、ネットワーク通信部４６を介してコンテンツ配信サーバ３０へ送信する。これにより、購入を要求した車両用コンテンツのコンテンツデータとそのコンテンツデータを利用可能とするための制限解除キーがコンテンツ配信サーバ３０から当該ＰＣ４０へ送信されてくる（前述したコンテンツ配信処理（図４）におけるＳ３０６）。
【０１２２】
続いて、Ｓ７０２では、コンテンツ配信サーバ３０からコンテンツデータ及び制限解除キーを受信し、記憶部４２に記憶させる。これにより、購入した車両用コンテンツのコンテンツデータが記憶部４２に記憶されている購入済のコンテンツデータに追加されることになる。
【０１２３】
続いて、Ｓ７０３では、購入者であるユーザの所有する携帯装置２０が近距離無線通信可能な通信エリアに存在するか否かを判定する。具体的には、近距離通信部４７を介して近距離無線通信可能な状態にある携帯装置２０であって購入操作において入力されたユーザ識別情報が記憶されたものが存在するか否かを判定する。
【０１２４】
そして、Ｓ７０３で、購入者の携帯装置２０が存在しないと判定した場合には、そのまま本コンテンツ購入処理を終了する。
一方、Ｓ７０３で、購入者の携帯装置２０が存在すると判定した場合には、Ｓ７０４へ移行し、所有コンテンツ情報の送信要求である所有情報送信要求を、購入者であるユーザの所有する携帯装置２０へ近距離通信部４７を介して送信する。これにより、購入者であるユーザの所有する携帯装置２０から当該ＰＣ４０へ所有コンテンツ情報が送信されてくる（前述した情報送信処理（図３）におけるＳ２０２）。
【０１２５】
続いて、Ｓ７０５では、携帯装置２０から所有コンテンツ情報を受信する。
続いて、Ｓ７０６では、記憶部４２に記憶されているコンテンツデータの表す車両用コンテンツであってそのユーザが過去に購入したものの中に、Ｓ７０５で受信した所有コンテンツ情報に含まれていないものが存在するか否かを判定する。つまり、ＰＣ４０を介して購入した車両用コンテンツであるにもかかわらず携帯装置２０の所有コンテンツ情報に含まれていないもの（携帯装置２０を所持しない状態でＰＣ４０を介して購入した車両用コンテンツ等）が存在するか否かを判定するようにしている。
【０１２６】
そして、Ｓ７０６で、所有コンテンツ情報に含まれていないものが存在すると判定した場合には、Ｓ７０７へ移行し、不足する車両用コンテンツのコンテンツ識別情報を、そのユーザが所有する携帯装置２０へ近距離通信部４７を介して送信する。これにより、携帯装置２０に記憶される所有コンテンツ情報に、新たに購入した車両用コンテンツの情報が追加される（前述した情報送信処理（図３）におけるＳ２０４）。
【０１２７】
一方、Ｓ７０６で、所有コンテンツ情報に含まれていないものが存在しないと判定した場合には、Ｓ７０７の処理を行わずに本コンテンツ購入処理を終了する。
［３−３．使用例］
次に、第３実施形態の情報通信システムの使用例について説明する。
【０１２８】
携帯装置２０を所持したユーザが、自宅のＰＣ４０で車両用コンテンツを新たに購入する操作を行うと、その車両用コンテンツのコンテンツデータがコンテンツ配信サーバ３０からダウンロードされる。これにより、ユーザは、購入した車両用コンテンツをＰＣ４０で利用することができる。
【０１２９】
また、携帯装置２０に記憶されている所有コンテンツ情報が自動的に取得され、携帯装置２０に不足している車両用コンテンツのコンテンツ識別情報が、ＰＣ４０から携帯装置２０へ自動的に送信される。つまり、今回購入された車両用コンテンツのコンテンツ識別情報だけでなく、携帯装置２０が存在しない状態で過去に購入された車両用コンテンツのコンテンツ識別情報についても、所有コンテンツ情報に追加される。この結果、ユーザは、ＰＣ４０で購入した車両用コンテンツを車両５０に搭載された車載装置１０でも利用することができる。
【０１３０】
［３−４．効果］
以上説明したように、第３実施形態の情報通信システムによれば、第１実施形態と同様の効果に加え、次の効果が得られる。
【０１３１】
・車載装置１０が、当該車載装置１０に記憶されている車両用コンテンツのうち携帯装置２０に記憶されていないもののコンテンツ識別情報をその携帯装置２０へ送信する。このため、携帯装置２０が存在しない状態で車両用コンテンツが購入された場合にも、その携帯装置２０に記憶されている所有コンテンツ情報を事後的に適切な情報に更新することができる。
【０１３２】
［３−５．特許請求の範囲との対応］
なお、第３実施形態の情報通信システムでは、ＰＣ４０が、コンテンツ出力装置に相当する。そして、コンテンツ購入処理（図９）におけるＳ７０１，Ｓ７０２の処理を実行する制御部４１が、コンテンツ購入手段に相当し、Ｓ７０３〜Ｓ７０７の処理を実行する制御部４１が、所有情報通知手段に相当し、記憶部４２が、コンテンツ記憶手段に相当する。その他の対応は、第１実施形態と同様である。
【０１３３】
［４．第４実施形態］
次に、第４実施形態の情報通信システムについて説明する。
［４−１．全体構成］
図１０は、第４実施形態の情報通信システムの概略構成を表すブロック図である。
【０１３４】
第４実施形態の情報通信システムは、第１実施形態の情報通信システム（図１）と対比すると、車両５０に個人認証装置５１及びカメラ５２が搭載されており、車載装置１０の制御部１１が、個人認証装置５１と通信可能に接続されている点が異なる。
【０１３５】
ここで、個人認証装置５１は、運転席に着座したユーザをその身体的特徴に基づき認証するためのものである。具体的には、車両５０の室内における運転席の前方位置に、運転席に着座した状態のユーザの顔面を撮影可能なカメラ５２が設置されており、個人認証装置５１は、このカメラ５２の撮影画像から運転者の身体的特徴として顔特徴点を検出し、認証を行う。なお、個人認証装置５１及びカメラ５２は、脇見防止装置等の他の車載システムに用いられるものを流用することが可能である。
【０１３６】
また、車載装置１０の記憶部１２には、車両オーナの顔特徴点を表す顔特徴情報があらかじめ記憶されている。
そして、車載装置１０は、車両５０に車両オーナが乗車していない場合には車両用コンテンツの出力及び購入を禁止するように構成されている。具体的には、車載装置１０が、第１実施形態の処理に加え、後述するコンテンツ利用許可処理を実行する。以下、第１実施形態の情報通信システムと相違する部分を中心に説明し、共通する部分については同一符号を用いるとともに説明を省略する。
【０１３７】
［４−２．コンテンツ利用許可処理］
次に、車載装置１０の制御部１１により実行されるコンテンツ利用許可処理について、図１１のフローチャートを用いて説明する。このコンテンツ利用許可処理は、車載装置１０の電源がオンされることにより開始され、車載装置１０の電源がオフされるまで継続して行われる。
【０１３８】
制御部１１は、コンテンツ利用許可処理を開始すると、まず、Ｓ８０１で、車両５０の室内で携帯装置２０が検出されたか否かを判定し、検出されたと判定した場合にＳ８０２へ移行する。具体的には、近距離通信部１７を介して近距離無線通信可能な状態にある携帯装置２０が存在するか否かを判定する。つまり、携帯装置２０を所持したユーザが車両５０に乗車しているか否かを判定するようにしている。
【０１３９】
Ｓ８０２では、Ｓ８０１で検出した携帯装置について、車両オーナが所有するものであるか否かを判定するためのユーザ認証処理を行う。この認証処理では、ユーザ識別情報やパスワード等に基づき車両オーナであるか否かを判定する。
【０１４０】
続いて、Ｓ８０３では、Ｓ８０２でのユーザ認証処理により認証が成立した（車両オーナが所有する携帯装置２０であることが確認された）か否かを判定する。
そして、Ｓ８０３で、認証が成立しなかったと判定した場合には、Ｓ８０４へ移行し、顔画像に基づく認証処理を行う。具体的には、記憶部１２に記憶されている顔特徴情報を個人認証装置５１へ送信することにより、カメラ５２の撮影画像に基づく認証処理を個人認証装置５１に指示する。これにより、個人認証装置５１は、カメラ５２に運転者の撮影を指示し、カメラ５２により撮影された画像を取得する。そして、個人認証装置５１は、カメラ５２による撮影画像を、車載装置１０から受信した顔特徴情報とテンプレートマッチングで比較することにより、運転席に存在するユーザが車両オーナであるか否かを判定し、判定結果を車載装置１０へ送信する。
【０１４１】
続いて、Ｓ８０５では、個人認証装置５１から送信されてくる判定結果に基づき、認証が成立した（車両オーナであることが確認された）か否かを判定する。
そして、Ｓ８０５で、認証が成立しなかったと判定した場合には、本コンテンツ利用許可処理を終了する。この場合、車載装置１０はコンテンツの出力及び購入が許可されない（禁止された）状態となる。
【０１４２】
一方、Ｓ８０３又はＳ８０５で認証が成立したと判定した場合には、Ｓ８０６へ移行し、コンテンツの出力及び購入を許可した後、本コンテンツ利用許可処理を終了する。この場合、車載装置１０はコンテンツの出力及び購入が可能な状態となる。
【０１４３】
つまり、車両５０に車両オーナが乗車している状態でのみ、コンテンツの出力及び購入を許可するようにしている。
［４−３．効果］
以上説明したように、第４実施形態の情報通信システムによれば、第１実施形態と同様の効果に加え、次の効果が得られる。
【０１４４】
・車両オーナが車両５０に乗車していない状態では、車載装置１０による車両用コンテンツの出力及び新たな車両用コンテンツの購入を禁止するようにしているため、車両用コンテンツの不正使用及び不正ダウンロードを防止することができる。
【０１４５】
・車両オーナの携帯装置２０が車載装置１０と無線通信可能な状態にある場合に、車両オーナが存在すると判定するようにしているため、車両オーナの存在を容易に判定することができる。また、車両オーナの携帯装置２０が存在しない場合にも、顔特徴点に基づき車両オーナが検出された場合には、車両オーナが存在すると判定するようにしているため、携帯装置２０を所持していない状態においても車両用コンテンツの出力及び購入を行うことができる。
【０１４６】
［４−４．特許請求の範囲との対応］
なお、第４実施形態の情報通信システムでは、コンテンツ利用許可処理（図１１）におけるＳ８０１〜Ｓ８０６の処理を実行する制御部１１が、所有者判定手段及び出力禁止手段に相当し、特に、Ｓ８０４の処理を実行する制御部１１が、特徴検出手段に相当する。その他の対応は、第１実施形態と同様である。
【０１４７】
［５．第５実施形態］
次に、第５実施形態の情報通信システムについて説明する。
［５−１．全体構成］
図１２は、第５実施形態の情報通信システムの概略構成を表すブロック図である。
【０１４８】
第５実施形態の情報通信システムは、第１実施形態の情報通信システム（図１）と対比すると、携帯装置２０が、コンテンツ配信サーバ３０との間でインターネットを介したデータ通信を行うための携帯通信部２４を備えている点が異なる。以下、第１実施形態の情報通信システムと相違する部分を中心に説明し、共通する部分については同一符号を用いるとともに説明を省略する。
【０１４９】
［５−２．情報通信システムで実行される処理］
次に、第５実施形態の情報通信システムを構成する各装置１０，２０，３０で実行される処理について説明する。
【０１５０】
［５−２−１．コンテンツ取得処理］
まず、車載装置１０の制御部１１により実行されるコンテンツ取得処理について、図１３のフローチャートを用いて説明する。第５実施形態のコンテンツ取得処理は、第１実施形態のコンテンツ取得処理（図２）と対比すると、Ｓ１１０の処理を行わない点が異なる。その他、Ｓ９０１〜Ｓ９０９の各処理内容は、Ｓ１０１〜Ｓ１０９の各処理内容と同一であるため、具体的な処理内容についての説明は省略する。
【０１５１】
［５−２−２．情報送信処理］
携帯装置２０の制御部２１により実行される情報送信処理は、第１実施形態の情報送信処理と同一であるため、説明を省略する。
【０１５２】
［５−２−３．コンテンツ配信処理］
次に、コンテンツ配信サーバ３０の制御部３１により実行されるコンテンツ配信処理について、図１４のフローチャートを用いて説明する。第５実施形態のコンテンツ配信処理は、第１実施形態のコンテンツ配信処理（図４）と対比すると、Ｓ１００７の処理が加わっている点が異なる。その他、Ｓ１００１〜Ｓ１００６の各処理内容は、Ｓ３０１〜Ｓ３０６の各処理内容と同一であるため、具体的な処理内容についての説明は省略する。
【０１５３】
Ｓ１００７では、購入された車両用コンテンツのコンテンツ識別情報を、車両オーナが所有する携帯装置２０へ通信部３３を介して送信する。これにより、携帯装置２０に記憶される所有コンテンツ情報に、新たに購入した車両用コンテンツの情報が追加される。
【０１５４】
つまり、第５実施形態の情報通信システムでは、新たに購入された車両用コンテンツのコンテンツ識別情報を、車載装置１０からではなく、コンテンツ配信サーバ３０から携帯装置２０へ通知するようにしている。
【０１５５】
［５−３．効果］
以上説明したように、第５実施形態の情報通信システムによれば、第１実施形態と同様の効果が得られる。
【０１５６】
［５−４．特許請求の範囲との対応］
なお、第５実施形態の情報通信システムでは、車載装置１０が、コンテンツ出力装置に相当する。そして、コンテンツ取得処理（図２）におけるＳ９０１〜Ｓ９０６の処理を実行する制御部１１が、コンテンツ補充手段に相当し、Ｓ９０７〜Ｓ９０９の処理を実行する制御部１１が、コンテンツ購入手段に相当し、記憶部１２が、コンテンツ記憶手段に相当する。
【０１５７】
また、携帯装置２０が、ユーザ側装置に相当する。そして、情報送信処理（図３）におけるＳ２０１，Ｓ２０２の処理を実行する制御部２１が、所有情報送信手段に相当し、Ｓ２０３，Ｓ２０４の処理を実行する制御部２１が、所有情報更新手段に相当し、記憶部２２が、所有情報記憶手段に相当する。
【０１５８】
また、コンテンツ配信サーバ３０が、コンテンツ配信装置に相当する。そして、コンテンツ配信処理（図４）におけるＳ１００１〜Ｓ１００３の処理を実行する制御部３１が、コンテンツ再送手段に相当し、Ｓ１００４〜Ｓ１００６の処理を実行する制御部３１が、コンテンツ送信手段に相当し、Ｓ１００７の処理を実行する制御部３１が、購入情報通知手段に相当する。
【０１５９】
［６．変形例］
以上、本発明の一実施形態について説明したが、本発明は、種々の形態を採り得ることは言うまでもない。
【０１６０】
［６−１．車両用コンテンツの購入者］
上記各実施形態では、車載装置１０で車両用コンテンツを購入するための購入操作が行われた場合に、その車載装置１０の所有者（その車載装置１０が搭載された車両５０の所有者）を購入者とみなすようにしているが、これに限定されるものではない。例えば、購入操作において、購入者のユーザ識別情報を（必要に応じてパスワード等とともに）ユーザに入力させ、入力されたユーザ識別情報のユーザを購入者とみなすようにしてもよい。
【０１６１】
［６−２．不足する車両用コンテンツの補充］
上記各実施形態では、ユーザが購入済の車両用コンテンツであって車載装置１０に記憶されていないもののコンテンツデータや期限付コンテンツデータを無料でダウンロードできる構成を例示したが、これに限定されるものではない。例えば、無料ではなく、通常の購入価格よりも安い価格でダウンロードできるようにしてもよい。
【０１６２】
また、上記第２実施形態では、コンテンツデータ及び期限付コンテンツデータのうちいずれをダウンロードするかを車載装置１０側で判定するようにしているが、これに限定されるものではなく、例えば、コンテンツ配信サーバ３０側で判定するようにしてもよい。
【０１６３】
具体的には、コンテンツ配信サーバ３０が、当該コンテンツ配信サーバ３０を利用する各車載装置１０の識別情報を、その所有者であるユーザの識別情報と対応付けて記憶する。そして、コンテンツ配信サーバ３０は、車載装置１０からコンテンツデータの送信要求及びユーザ識別情報を受信した場合に、受信したユーザ識別情報が送信元の車載装置１０の所有者であるユーザのものであれば、通常のコンテンツデータを送信する。一方、受信したユーザ識別情報が送信元の車載装置１０の所有者であるユーザのものでなければ、期限付コンテンツデータを送信する。このようにしても、第２実施形態と同様の効果が得られる。
【０１６４】
なお、上記第２実施形態では、車両オーナでないユーザが購入済の車両用コンテンツであって車載装置１０に記憶されていないものの期限付コンテンツデータをダウンロードするようにしているが、コンテンツの制限は出力可能な期間に限定されるものではない。例えば、そのユーザが車両５０に乗車している状態でのみ出力可能となるように制限されたコンテンツデータをダウンロードするようにしてもよい。
【０１６５】
［６−３．ユーザによる車両用コンテンツの選択操作］
上記第２実施形態では、車両オーナでないユーザが購入済の車両用コンテンツであって車載装置１０に記憶されていないものが存在する場合には、表示部１４に一覧表示してユーザに選択させるようにしているが、これに限定されるものではない。例えば、表示部１４以外の表示手段（例えば、車両５０のメータパネル内表示器や、そのユーザの携帯装置２０に設けられた表示部）に表示させるようにしてもよい。また、表示以外の態様により報知（例えば、音声により報知）するようにしてもよい。
【０１６６】
［６−４．所有コンテンツ情報の更新］
上記第３実施形態では、ＰＣ４０で新たな車両用コンテンツが購入された場合に、購入者の携帯装置２０を検出して所有コンテンツ情報の更新処理を行うようにしているが、これに限定されるものではない。例えば、車両用コンテンツを購入したか否かに関係なく、ユーザの携帯装置２０が検出された場合に所有コンテンツ情報の更新処理を行うようにしてもよい。また、車両用コンテンツが購入されたにもかかわらず購入者の携帯装置２０が検出されなかった場合（購入者が携帯装置２０を所持していなかった場合等）には、その後に携帯装置２０が検出されるまで所有コンテンツ情報の更新処理を保留するようにしてもよい。
【０１６７】
［６−５．ユーザから検出する身体的特徴］
上記第４実施形態では、ユーザの身体的特徴として顔特徴点を検出することにより車両オーナであるか否かを判定する構成を挙げて説明したが、これに限定されるものではない。例えば、指紋、静脈、虹彩、声紋、網膜等、個人の身体に付随する特徴を表すものであれば利用することが可能である。また、運転操作の癖等に基づき判定することも可能である。
【０１６８】
また、上記第４実施形態では、車両オーナ本人が車両５０に乗車した場合にのみコンテンツの出力及び購入を可能とするようにしているが、これに限定されるものではない。例えば、あらかじめ登録された複数のユーザ（例えば車両オーナの家族等）が車両５０に乗車した場合にコンテンツの出力及び購入を可能とするようにしてもよい。
【０１６９】
［６−６．携帯装置の構成］
上記各実施形態では、携帯装置２０として携帯電話端末を例に挙げて説明したが、これに限定されるものではない。例えば、ＰＤＡ等の携帯情報機器、車両５０の電子キー（スマートキー）等、無線通信可能な仕組みを有する記憶装置を流用して構成してもよく、また、専用機として構成してもよい。
【０１７０】
［６−７．コンテンツ］
上記各実施形態では、車載装置１０で利用可能な車両用コンテンツを出力するための構成を例に挙げて説明したが、コンテンツはこれに限定されるものではなく、車載装置１０以外で利用可能なコンテンツであってもよい。
【図面の簡単な説明】
【０１７１】
【図１】第１実施形態の情報通信システムの概略構成を表すブロック図である。
【図２】第１実施形態のコンテンツ取得処理のフローチャートである。
【図３】第１実施形態の情報送信処理のフローチャートである。
【図４】第１実施形態のコンテンツ配信処理のフローチャートである。
【図５】第２実施形態のコンテンツ取得処理のフローチャートである。
【図６】第２実施形態の情報送信処理のフローチャートである。
【図７】第２実施形態のコンテンツ配信処理のフローチャートである。
【図８】第３実施形態の情報通信システムの概略構成を表すブロック図である。
【図９】第３実施形態のコンテンツ購入処理のフローチャートである。
【図１０】第４実施形態の情報通信システムの概略構成を表すブロック図である。
【図１１】第４実施形態のコンテンツ利用許可処理のフローチャートである。
【図１２】第５実施形態の情報通信システムの概略構成を表すブロック図である。
【図１３】第５実施形態のコンテンツ取得処理のフローチャートである。
【図１４】第５実施形態のコンテンツ配信処理のフローチャートである。
【符号の説明】
【０１７２】
１０…車載装置、１１…制御部、１２…記憶部、１３…操作部、１４…表示部、１５…音出力部、１６…車外通信部、１７…近距離通信部、２０…携帯装置、２１…制御部、２２…記憶部、２３…近距離通信部、２４…携帯通信部、３０…コンテンツ配信サーバ、３１…制御部、３２…記憶部、３３…通信部、４０…ＰＣ、４１…制御部、４２…記憶部、４３…操作部、４４…表示部、４５…音出力部、４６…ネットワーク通信部、４７…近距離通信部、５０…車両、５１…個人認証装置、５２…カメラ
【図１】
2008257648.tif 000003
【図２】
2008257648.tif 000004
【図３】
2008257648.tif 000005
【図４】
2008257648.tif 000006
【図５】
2008257648.tif 000007
【図６】
2008257648.tif 000008
【図７】
2008257648.tif 000009
【図８】
2008257648.tif 000010
【図９】
2008257648.tif 000011
【図１０】
2008257648.tif 000012
【図１１】
2008257648.tif 000013
【図１２】
2008257648.tif 000014
【図１３】
2008257648.tif 000015
【図１４】
2008257648.tif 000016